(57)【要約】【課題】弾性のある複数の脚部を持ち、その脚部を互いに離そうとする力が働く固定具の改良。【解決手段】固定具（３）は、シャフト（５）と、その一端に接続された頭部（４）とを有する第１の部品（１）と、支持部（１１）とそこから横方向に突起した弾性のある２つの脚部（１２）とを有する第２の部品（２）とを備え、シャフトが支持部（１１）に設けられた開口部（１６）の中を滑る。シャフト（５）が開口部（１６）を通過して支持部（１１）をストッパー面（９）と段部（１０）の間に挟んで締めつけ、第１の部品を第２の部品の内部に保持する待機状態とロック状態とロック解除状態を取ることができる。【選択図】図３
2006242379.tif 000002
【特許請求の範囲】
【請求項１】
所定の輪郭を有する中空部の中に固定するための固定具（３）であって、
シャフト（５）と、そのシャフト（５）の一端に接続された頭部（４）とを有する第１の部品（１）と、支持部（１１）と、この支持部（１１）から横方向に突起した弾性のある２つの脚部（１２）とを有する第２の部品（２）とを備え、シャフト（５）が、支持部（１１）に設けられた開口部（１６）の中を滑るようにされている、ものにおいて、
第１の部品（１）が、シャフト（５）の頭部（４）とは反対側の端部の位置でそのシャフト（５）から横方向に突起したストッパー面（９）を備えており；
長手方向のリブ（７）がシャフト（５）の全長にわたって設けられていて、そのリブ（７）が、ストッパー面（９）の近傍に段部（１０）を備えており；
支持部（１１）には、開口部（１６）の縁部に切れ込み（１７）が設けられていて、該切れ込み（１７）がリブ（７）を長手方向に滑らせるガイドとなって第２の部品（２）に対する第１の部品（１）の角度方向を決め、それによりシャフト（５）が開口部（１６）の中を滑るとき、そのシャフト（５）が弾性のある２つの脚部（１２）を引き離す力を及ぼし；
シャフト（５）が開口部（１６）を通過して支持部（１１）をストッパー面（９）と段部（１０）の間に挟んで締めつけることにより、第１の部品（１）を第２の部品（２）の内部に保持する待機状態と；
第１の部品（１）が第２の部品（２）の中に差し込まれていて、シャフト（５）が弾性のある２つの脚部（１２）と対向した位置で支持部（１１）に対して自由に回転できる状態であり、第２の部品（２）は、第１の部品（１）の頭部（４）とストッパー面（９）に挟まれて締めつけられていて、弾性のある２つの脚部（１２）がシャフト（５）から互いを引き離す力を受けるロック状態と；
第１の部品（１）が第２の部品（２）の中に差し込まれていて、シャフト（５）が弾性のある２つの脚部（１２）と対向した位置で支持部（１１）に対して自由に回転できる状態であり、第２の部品（２）は、第１の部品（１）の頭部（４）とストッパー面（９）に挟まれて締めつけられていて、弾性のある２つの脚部（１２）がシャフト（５）に対して自由な状態であるロック解除状態と；を取ることができ、
シャフト（５）を押し込むだけで待機状態からロック状態へと移行し、シャフト（５）を回転させるだけでロック状態からロック解除状態へ、そしてその逆のロック解除状態からロック状態へと移行することができる、
ことを特徴とする固定具。
【請求項２】
それぞれが１つの段部（１０）を有する長手方向の２つのリブ（７）と、そのリブ（７）に対応する２つの切れ込み（１７）とを備えている、請求項１に記載の固定具。
【請求項３】
リブ（７）がほぼ三角形の断面を持ち、その三角形断面の頂点の位置でシャフト（５）にその全長にわたって接続されている、請求項１または２に記載の固定具。
【請求項４】
シャフト（５）がほぼ長方形の断面を持つ、請求項１から３のいずれか１項に記載の固定具。
【請求項５】
シャフト（５）の長方形断面には丸くなった２つの角部（１８）があり、その２つの角部が対角線を挟んで向かい合っている、請求項４に記載の固定具。
【請求項６】
長手方向のリブ（７）が、シャフト（５）の長方形断面の角部の位置でシャフト（５）にその全長にわたって接続されている、請求項４または５に記載の固定具。
【請求項７】
ストッパー面（９）が、頭部（４）とは反対側の位置でシャフト（５）から横方向に突起している円板状ストッパー（８）からなる、請求項１から６のいずれか１項に記載の固定具。
【請求項８】
弾性のある２つの脚部（１２）のそれぞれがロック用の傾斜部（１５）を備えており、ロック状態に移行するとき、そのロック用の傾斜部（１５）がシャフト（５）と協働する、請求項１から７のいずれか１項に記載の固定具。
【請求項９】
ロック用の傾斜部（１５）が、互いに横方向にずれた位置で向かい合う配置にされている、請求項８に記載の固定具。
【請求項１０】
支持部（１１）が、固定具が待機状態にあるときにストッパー面（９）と協働する環状肩部（１９）を備える、請求項１から９のいずれか１項に記載の固定具。
【請求項１１】
シャフト（５）が頭部（４）との接続部の近傍に円形断面部を有するため、ロック状態からロック解除状態への移行が可逆的である、請求項１から１０のいずれか１項に記載の固定具。
【請求項１２】
弾性のある２つの脚部のそれぞれが、ストッパー面（９）と協働する肩部（２０）を有するため、待機状態からロック状態への移行が不可逆的である、請求項１から１１のいずれか１項に記載の固定具。
【請求項１３】
第１の部品と第２の部品が破断可能領域によって接続されていて、そのとき第１の部品（１）のシャフト（５）が第２の部品（２）の開口部（１６）と向かい合う成形状態をさらに取ることができる、請求項１から１２のいずれか１項に記載の固定具。
【発明の詳細な説明】
【技術分野】
【０００１】
本発明は、弾性のある複数の脚部を持ち、その脚部を互いに離そうとする力が働く固定具に関する。
【０００２】
より詳細には、本発明は、所定の輪郭を有する中空部の中に固定するのに適した固定具に関する。
【０００３】
このような固定具により、例えば、所定の輪郭を有する中空部を備えた支持体に物品を固定することができる。
【背景技術】
【０００４】
特許文献１により、弾性のある２つの脚部を持ち、外力がないときには休止状態にあって支持体の開口部に挿入できる第１の部品と、この第１の部品と協働する固定用突起部を持つ第２の部品とを備えていて、その固定用突起部は、第１の部品を貫通して支持体上でロック状態になる位置まで挿入することができ、その状態で、固定用突起部が、第１の部品の弾性のある２つの脚部を互いに離して支持体の開口部の壁面に押しつける盲穴用の固定製品が公知になっている。
【０００５】
この製品の固定用突起部をその長軸に沿って第１の部品の中に差し込むと、この固定用突起部が特殊な形状をしているために弾性のある２つの脚部を互いに離そうとする力を及ぼすため、この製品を支持体にロックすることができる。
【０００６】
しかしこの製品のロック状態は、第２の部品を１／４回転させることによって解除することができる。固定用突起部は断面がＨ型であるという特殊な形状であるため、１／４回転させると、弾性のある２つの脚部を互いに離そうとする力が消える。
【０００７】
この製品のロック状態が解除されると、１／４回転させても再びロック状態にすることはもはやできず、支持体から引き抜かなくてはならない。しかしこの製品は新たにロックすることが可能である。そのためには、支持体からこの製品を引き抜き、固定用突起部を外すために弾性のある２つの脚部を手で引き離してこの製品を元の状態に戻し、第１の部品の中に固定用突起部を差し込んで再びロックせねばならない。
【０００８】
特に自動車の分野では、“１／４回転”固定具と呼ばれる固定具も知られている。この固定具は、所定の輪郭を有する中空部に挿入されることになる弾性のある複数の脚部を持つ第１の部品と、頭部ならびに長方形断面のシャフトを持つ第２の部品とを備えていて、第１の部品と第２の部品が組み合わさることで、シャフトが弾性のある２つの脚部の間に、これら脚部と平行に配置される。
【０００９】
このような固定具では、シャフトが、弾性のある２つの脚部を互いに離そうとする力を及ぼさない角度方向を向くロック解除状態と；ロック解除状態に対して１／４回転させることによって得られ、シャフトが、弾性のある２つの脚部を互いに離そうとする力を及ぼす角度方向を向くロック状態を取ることができる。
したがってこの固定具は、頭部を回すだけで、ロックしたりロックを解除したりできる。
【００１０】
【特許文献１】フランス国特許第２，７６１，１２７号
【発明の開示】
【発明が解決しようとする課題】
【００１１】
本発明の目的は、このタイプの固定具を改良することである。
【課題を解決するための手段】
【００１２】
本発明によれば、固定具であって、所定の輪郭を有する中空部の中に固定するため、シャフトと、そのシャフトの一端に接続された頭部とを有する第１の部品と；支持部と、この支持部から横方向に突起した弾性のある２つの脚部とを有する第２の部品とを備えていて；シャフトが、支持部に設けられた開口部の中を滑るようにされているものにおいて、
第１の部品が、シャフトの頭部とは反対側の端部の位置でそのシャフトから横方向に突起したストッパー面を備えており、
長手方向のリブがシャフトの全長にわたって設けられていて、そのリブが、ストッパー面の近傍に段部を備えており、
支持部には、開口部の縁部に切れ込みが設けられていて、この切れ込みがリブを長手方向に滑らせるガイドとなって第２の部品に対する第１の部品の角度方向を決める結果、シャフトが開口部の中を滑るとき、そのシャフトが弾性のある２つの脚部を引き離す力を及ぼし、
シャフトが開口部を通過して支持部をストッパー面と段部の間に挟んで締めつけることにより、第１の部品を第２の部品の内部に保持する待機状態と；
第１の部品が第２の部品の中に差し込まれていて、シャフトが弾性のある２つの脚部と対向した位置で支持部に対して自由に回転できる状態であり、第２の部品は、第１の部品の頭部とストッパー面に挟まれて締めつけられていて、弾性のある２つの脚部がシャフトから互いを引き離す力を受けるロック状態と；
第１の部品が第２の部品の中に差し込まれていて、シャフトが弾性のある２つの脚部と対向した位置で支持部に対して自由に回転できる状態であり、第２の部品は、第１の部品の頭部とストッパー面に挟まれて締めつけられていて、弾性のある２つの脚部がシャフトに対して自由な状態であるロック解除状態と、を取ることができ、
シャフトを押し込むだけで待機状態からロック状態へと移行し、シャフトを回転させるだけでロック状態からロック解除状態へ、そしてその逆のロック解除状態からロック状態へと移行することができる、
ことを特徴とする固定具が提供される。
【００１３】
このような固定具は、まず最初に待機状態から始まり、第１の部品の頭部に力を加えることによって、すなわちシャフトを第２の部品の中に押し込むことによって、組み立てることができる。このような組み立ては迅速かつ容易である。なぜなら、固定具（と、場合によってはこの固定具によって固定される部材）を中空部の中にロックした状態にするには押すだけでよいからである。このような組み立ては、労力を要しない迅速で確実な組み立てが必要な場合に特に有利である。それは、例えば自動車の組み立てラインの場合である。
【００１４】
力を加えてこのように組み立てることにより、盲穴への効果的かつ確実な取り付けが可能になる。
【００１５】
力によってこの第１回目の組み立てがなされると固定具は中空部の中にロックされるが、第１の部品の頭部を回転させるとロックを解除することができる。
【００１６】
ロックを解除するこの操作は可逆的である。なぜなら、固定具は、頭部を適切な方向に回転させることによって意のままにロックしたりロックを解除したりできるからである。
【００１７】
力による第１回目の組み立てがなされると、固定具は“１／４回転”固定具のあらゆる利点を持つことになる。
【００１８】
固定具は、シャフトをよりよくガイドするため、それぞれが１つの段部を有する長手方向の２つのリブと、そのリブに対応する２つの切れ込みとを備えることができる。
【００１９】
好ましい１つの特徴によると、リブはほぼ三角形の断面を持ち、その三角形の断面の頂点の位置でシャフトにその全長にわたって接続されている。
【００２０】
さらに、シャフトは、ロック状態とロック解除状態を取ることを可能にするほぼ長方形の断面を持つことができる。
【００２１】
シャフトの長方形断面には丸くなった２つの角部があって、その２つの角部が対角線を挟んで向かい合っている。こにょうに丸くなった角部があることで、ロック状態とロック解除状態の間の移行が容易になる。
【００２２】
好ましい別の特徴によると、長手方向のリブは、シャフトの長方形断面の角部の位置でシャフトにその全長にわたって接続されているため、ロック状態とロック解除状態の間を移行する際にシャフトの回転を止めるストッパーとなる。
【００２３】
さらに、ストッパー面は、頭部とは反対側に位置でシャフトから横方向に突起している円板状ストッパーで構成することができる。
【００２４】
弾性のある２つの脚部が互いに離れた状態になるようにするため、弾性のある２つの脚部のそれぞれはロック用の傾斜部を備えており、ロック状態に移行するときにそのロック用の傾斜部がシャフトと協働する。
【００２５】
ロック用の傾斜部は、ロック状態とロック解除状態の間の移行を容易にするため、互いに横方向にずれた位置で向かい合う配置にすることができる。
【００２６】
好ましい１つの特徴によると、支持部は、固定具が待機状態にあるときにストッパー面と協働する環状肩部を備えている。
【００２７】
シャフトはさらに頭部との接続部の近傍に円形断面部を持つことができるため、ロック状態からロック解除状態への移行が可逆的になる。
【００２８】
好ましい１つの特徴によると、弾性のある２つの脚部のそれぞれが、ストッパー面と協働する肩部を有するため、待機状態からロック状態への移行は不可逆的になる。
【００２９】
固定具は、さらに、第１の部品と第２の部品が破断可能領域によって接続されていて、そのとき第１の部品のシャフトが第２の部品の開口部と向かい合う成形状態を取ることができる。
【００３０】
本発明の他の特徴および利点は、好ましい実施態様について添付の図面を参照した以下の説明から明らかになろう。
【発明を実施するための最良の形態】
【００３１】
図１と図２は、それぞれ第１の部品１と第２の部品２の斜視図であり、これらの部品が組み合わさると、図３に示したように本発明の固定具が形成される。
【００３２】
第１の部品１は頭部４を備えており、その頭部４からシャフト５が横方向に突起している。
【００３３】
第１の部品１の頭部４は円板の形をしており、そこに凹部６が形成されている。この凹部６にドライバーの先端部またはコインを差し込んで第１の部品１を回転させる。
【００３４】
シャフト５は断面がほぼ長方形の部材であり、その表面には、シャフト５から突起した長手方向の２本のリブ７が、シャフト５の長方形断面の対角線上の両隅の位置に設けてある。
【００３５】
シャフト５は、頭部４とは反対側の端部に、頭部４と平行に延びていて頭部４と向かい合うストッパー面９を有する円板状ストッパー８も備えている。
【００３６】
それぞれのリブ７は、円板状ストッパー８の近傍に、外側に向かって突起すると同時に対応するリブ７の幅全体に広がった段部１０を備えている。
【００３７】
図２に示した第２の部品２のほうは、円板材料からなる支持部１１を備えており、この支持部１１から、弾性のある２つの脚部１２が横方向に突起している。
【００３８】
引っかけ用の２本の脚部１３が、２つの脚部１２に挟まれた位置にあってやはり支持部１１から突起している。
【００３９】
弾性のある脚部１２のそれぞれは、外側を向いた面には固定用のギザギザ部１４を備えており、内側を向いた面（すなわち脚部１２の互いに向かい合う面）にはロック用の傾斜部１５を備えている。
【００４０】
支持部１１には、ほぼ円形で、弾性のある脚部１２と引っかけ用の脚部１３に挟まれた空間へと通じる開口部１６が設けられている。開口部１６はさらに、その縁部の直径を挟んで対向する位置に２つの切れ込み１７を有する。その切れ込み１７それぞれの断面は、第１の部品１のリブ７の断面にほぼ対応している。
【００４１】
これまで説明してきた第１の部品１と第２の部品２を組み合わせると、図２に見られる固定具３を形成することができる。この固定具３は、第１の部品１と第２の部品２を同一のポリマーから、同じ１つの鋳型で成形することによって得られる。その結果、図３に示した組立体が直接実現される。この組立体は、成形状態の固定具３、すなわち第１の部品１が第２の部品２と一体化している固定具３である。より詳しく説明すると、第１の部品１は、その第１の部品１の円板状ストッパー８と第２の部品２の開口部１６の接続部を形成する破断可能領域により、第２の部品２に接続されている。
【００４２】
成形状態のこの固定具３を、いろいろな見方で図４から図１０にも示してある。
【００４３】
図６は固定具３の正面図であり、図７は固定具３を左側から見た図である。
【００４４】
図４の断面図は、図６のシャフト５の断面を示している。シャフト５の断面を形成する長方形は、対角線を挟んで向かい合う２つの丸まった角部１８を備えており、対角線を挟んで向かい合う別の２つの角部は、それぞれ、断面がほぼ三角形のリブ７に接続されている。
【００４５】
図８の断面図も同様であり、シャフト５の断面の形状と、リブ７から突起している段部１０の断面の形状を示している。
【００４６】
図５のほうは、図７の状態にある固定具３を真下から見た図である。この図５により、支持部１１に接続された弾性のある脚部１２および引っかけ用の脚部１３の位置と、開口部１６における切れ込み１７の位置を見ることができる。
【００４７】
図５には、ロック用の傾斜部１５が、互いに横方向にずれた状態で向かい合っている様子も示してある。
【００４８】
図９と図１０には、それぞれ図６と図７の状態になっている固定具３の縦断面図が示してある。
【００４９】
図９と図１０に示した成形状態の固定具３ができ上がると、その固定具３を待機状態にして引き渡すとよい。
【００５０】
図１１と図１２は、図９と図１０と同じ方向からの図であるが、ここでは固定具３が待機状態になっている。固定具３は、第１の部品１の頭部４に力を加えることにより、図３から図１０の成形状態からこの待機状態に移行する。その結果、円板状ストッパー８と支持部１１を接続している破断可能領域が破断され、シャフト５が支持部１１の開口部１６を通過して図１１と図１２に示した安定状態になる。そのとき第１の部品１のシャフト５は、第２の部品２を、第１の部品１のストッパー面９と第１の部品１のリブ７の段部１０の間に挟んで締めつける。
【００５１】
この安定位置は、支持部１１と弾性のある脚部１２の接続部に設けられた環状肩部１９のおかげで可能になる。この肩部１９は、力を加えることによって円板状ストッパー８のストッパー面９が開口部１６を通過した後にそのストッパー面９を受け止める。
【００５２】
この点に関し、第１の部品１と第２の部品２は、力を加えてこのように通過させることができるだけの弾性と、弾性のある脚部１２に可撓性を与えるのに十分な弾性を持つ材料にするとよい。
【００５３】
固定具３は、すぐに使用できるよう、図１１と図１２の待機状態で引き渡すことが望ましい。固定具３は、引っかけ用の脚部１３のおかげで、固定する部材に直接取り付けて引き渡すこともできる。その場合には、この固定する部材の厚みが、引っかけ用の脚部１３と支持部１１の間に保持される（図１２を参照のこと）。
【００５４】
このように自由な状態になった待機状態の固定具３は、次にようにして使用する。
【００５５】
固定具３を最初に使用する際には、使用者は、固定する部材の付いた固定具３、または固定する部材の付いていない固定具３を、開口部の中に挿入する。ここでは開口部は、断面が正方形で、幅が、弾性のある脚部１２を隔てている距離とほぼ等しいことが好ましい。次に使用者は、第１の部品１の頭部４に力を加え、シャフト５全体を開口部１６を通過させて図１３のロック状態にする。
【００５６】
この状態では、弾性のある２つの脚部１２は、シャフト５と協働することによって互いに離れた状態にされる。シャフト５は、弾性のある２つの脚部１２の間で、長方形断面の長辺が見えるような方向を向いている。
【００５７】
したがって固定具３が中空部の中に配置されると、弾性のある脚部１２は、その中空部の壁面に対して図１３の矢印で示した方向の力を及ぼし、固定用のギザギザ部１４のおかげで固定具３をその中空部にロックする。このロックは、第１の部品１の頭部４に単に力を及ぼすだけで実現し、シャフト５が弾性のある２つの脚部１２の間に入り込むにつれ、ロック用の傾斜部１５のおかげでその弾性のある脚部１２に力が及ぼされる。
【００５８】
図１３に示したロック状態は、円板状ストッパー８のストッパー面９が２つの肩部２０の上に載ったときに実現する。その肩部２０は、それぞれ、弾性のある脚部１２の、支持部１１につながっているのとは反対側の先端部に設けられている。
【００５９】
図１１と図１２の待機状態から図１３のロック状態への移行は不可逆的であり、弾性のある脚部１２に手で力を加えない限り元の状態には戻らない。
【００６０】
しかし固定具３は、その後、頭部４に力を加えて第１の部品１を１／４回転させることにより、差し込んだ中空部から引き抜くことができる。
【００６１】
そのときシャフト５は、弾性のある２つの脚部１２の間で、長方形断面の短辺が見えるような方向を向いている。すると弾性のある２つの脚部１２はもはや互いを引き離そうとする力を受けないため、固定具３を中空部から引き抜くことができる。
【００６２】
固定具３は、図１３のロック状態から図１４のロック解除状態への移行が可逆的である限り、古典的な“１／４回転”固定具として使用することができる。
【００６３】
ロック状態（図１３）とロック解除状態（図１４）では、開口部１６は、シャフト５で頭部４の近傍に位置する円形断面部２１と協働する。この円形断面部２１により、第１の部品１が第２の部品２に対して自由に回転することが可能になる。
【００６４】
最初に使用するときにシャフト５が第２の部品２に対して並進運動するのをガイドしたリブ７は、今や回転のストッパーとなり、第１の部品１が回転できる範囲を図１３と図１４の両極端の位置の間に制限している。
【００６５】
本発明の範囲を逸脱することなく固定具３の変形例を考えることができる。特に、リブ７が、ガイドの役割を果たすとともに、第２の部品２に対する第１の部品１の角度位置を決められる限り、リブ７の数と形状を変えてもよい。
【図面の簡単な説明】
【００６６】
【図１】本発明による固定具の第１の部品の斜視図である。
【図２】本発明による固定具の第２の部品の斜視図である。
【図３】図１の第１の部品と図２の第２の部品からなる固定具の斜視図である。
【図４】図６の切断腺ＩＶ−ＩＶによる断面図である。
【図５】図７の固定具を下から見た図である。
【図６】図３の固定具の正面図である。
【図７】図３の固定具を左側から見た図である。
【図８】図７の切断腺ＶＩＩＩ−ＶＩＩＩによる断面図である。
【図９】図６の状態にある固定具の縦断面図である。
【図１０】図７の状態にある固定具の縦断面図である。
【図１１】図９と同様の図であるが、ここでは固定具が待機状態になっている。
【図１２】待機状態になっている図１１の固定具を左側から見た図である。
【図１３】図９および図１１と同様の図であるが、ここでは固定具がロック状態になっている。
【図１４】図１３の固定具がロック解除状態になっている図である。
【図１】
2006242379.tif 000003
【図２】
2006242379.tif 000004
【図３】
2006242379.tif 000005
【図４】
2006242379.tif 000006
【図５】
2006242379.tif 000007
【図６】
2006242379.tif 000008
【図７】
2006242379.tif 000009
【図８】
2006242379.tif 000010
【図９】
2006242379.tif 000011
【図１０】
2006242379.tif 000012
【図１１】
2006242379.tif 000013
【図１２】
2006242379.tif 000014
【図１３】
2006242379.tif 000015
【図１４】
2006242379.tif 000016